(57)【特許請求の範囲】
【請求項１】
地上マルチメディア放送波として送信されるセグメント連結送信信号を受信して、該セグメント連結送信信号の信号強度を測定し、該測定結果を表示器（２７）の画面上に表示する地上マルチメディア放送波信号測定装置であって、
前記セグメント連結送信信号の信号強度を測定するセグメント連結送信信号測定部（２２）と、
前記セグメント連結送信信号を構成する複数セグメントのそれぞれのセグメントの信号強度を測定するセグメント測定部（２３）と、
前記セグメント連結送信信号測定部の測定結果と前記セグメント連結送信信号を構成するセグメント数とからセグメントあたりの信号強度の平均値を算出するセグメント平均値算出手段（２４）と、
前記セグメント測定部で測定された前記それぞれのセグメントの信号強度の測定値からセグメント毎の信号強度特性値を算出するとともに、前記セグメント平均値算出手段で算出された前記信号強度の平均値から信号強度特性基準値を算出し、前記信号強度特性値と前記信号強度特性基準値との差である受信レベル相対値を算出する相対値算出手段（２５）と、
前記セグメント連結送信信号を構成する複数セグメントのそれぞれのセグメント毎の最低受信レベルが定義された最低受信レベルテーブル（２８１）を備え、該最低受信レベルテーブルのセグメント毎の最低受信レベルと前記信号強度特性基準値との差である最低受信レベル相対値を算出する最低受信レベル相対値算出手段（２８）と、
前記相対値算出手段のセグメント毎の前記受信レベル相対値をグラフとして前記表示器に表示するとともに、セグメント毎の前記受信レベル相対値それぞれが前記最低受信レベル相対値算出手段で算出された対応するセグメントの前記最低受信レベル相対値を下回った場合、当該セグメントを識別可能に表示する表示制御部（２６）とを設けたことを特徴とする地上マルチメディア放送波信号測定装置。
【請求項２】
前記セグメント連結送信信号を解析し、前記複数セグメントのそれぞれの変調方式と符号化率とを判別する受信信号解析部（２９）をさらに備え、
前記最低受信レベル相対値算出手段は、前記受信信号解析部で判別した前記複数セグメントのそれぞれの変調方式と符号化率とに基づいてセグメント毎の最低受信レベルを前記最低受信レベルテーブルに設定し、該設定された最低受信レベルテーブルを用いて前記最低受信レベル相対値を算出することを特徴とする請求項１記載の地上マルチメディア放送波信号測定装置。
【請求項３】
前記セグメント連結送信信号を構成する複数セグメントのそれぞれのセグメントのレイヤが定義されたレイヤ定義テーブル（３０）をさらに備え、
前記相対値算出手段は、前記レイヤ定義テーブルに定義されたレイヤ毎に前記信号強度特性値を算出し、
前記最低受信レベル相対値算出手段は、前記レイヤ定義テーブルに定義されたレイヤ毎に前記最低受信レベル相対値を算出することを特徴とする請求項１記載の地上マルチメディア放送波信号測定装置。
【請求項４】
前記セグメント連結送信信号を解析し、レイヤに割り当てられた変調方式と符号化率の情報であるレイヤ割り当て情報を抽出するとともに前記複数セグメントのそれぞれの変調方式と符号化率とを判別する受信信号解析部（２９）をさらに備え、
前記レイヤ定義テーブルは、前記受信信号解析部で抽出した前記レイヤ割り当て情報と前記判別した複数セグメントのそれぞれの変調方式と符号化率とに基づいて前記それぞれのセグメントのレイヤを設定することを特徴とする請求項３記載の地上マルチメディア放送波信号測定装置。
【請求項５】
前記表示制御部は、前記算出結果のグラフ上に前記セグメント連結送信信号内に配置されるスーパーセグメントを識別できるよう前記表示器に表示することを特徴とする請求項１乃至請求項４記載の地上マルチメディア放送波信号測定装置。
【請求項６】
前記信号強度特性値は、前記セグメント連結送信信号の信号電力及び電界強度の少なくとも一方であることを特徴とする請求項１乃至請求項５記載の地上マルチメディア放送波信号測定装置。
【請求項７】
地上マルチメディア放送波として送信されるセグメント連結送信信号を受信して、該セグメント連結送信信号の信号強度を測定し、該測定結果を表示する地上マルチメディア放送波信号測定方法であって、
前記セグメント連結送信信号の信号強度を測定するセグメント連結送信信号測定段階（Ｓ１０）と、
前記セグメント連結送信信号を構成する複数セグメントのそれぞれのセグメントの信号強度を測定するセグメント測定段階（Ｓ２０）と、
前記セグメント連結送信信号測定部の測定結果と前記セグメント連結送信信号を構成するセグメント数とからセグメントあたりの信号強度の平均値を算出するセグメント平均値算出段階（Ｓ３０）と、
前記セグメント測定段階で測定された前記それぞれのセグメントの信号強度の測定値からセグメント毎の信号強度特性値を算出するとともに、前記セグメント平均値算出段階で算出された前記信号強度の平均値から信号強度特性基準値を算出し、前記信号強度特性値と前記信号強度特性基準値との差である受信レベル相対値を算出する相対値算出段階（Ｓ４０）と、
前記セグメント連結送信信号を構成する複数セグメントのそれぞれのセグメント毎の最低受信レベルが定義される段階を備え、該定義されたセグメント毎の最低受信レベルと前記信号強度特性基準値との差である最低受信レベル相対値を算出する最低受信レベル相対値算出段階（Ｓ５０）と、
前記相対値算出段階のセグメント毎の前記受信レベル相対値をグラフとして表示するとともに、セグメント毎の前記受信レベル相対値それぞれが前記最低受信レベル相対値算出段階で算出された対応するセグメントの前記最低受信レベル相対値を下回った場合、当該セグメントを識別可能に表示するグラフ表示段階（Ｓ６０）とを設けたことを特徴とする地上マルチメディア放送波信号測定方法。
【請求項８】
前記セグメント連結送信信号を解析し、前記複数セグメントのそれぞれの変調方式と符号化率とを判別する受信信号解析段階（Ｓ７０）をさらに備え、
前記最低受信レベル相対値算出段階は、前記受信信号解析段階で判別した前記複数セグメントのそれぞれの変調方式と符号化率とに基づいてセグメント毎の最低受信レベルを定義し、該定義された最低受信レベルを用いて前記最低受信レベル相対値を算出することを特徴とする請求項７記載の地上マルチメディア放送波信号測定方法。
【請求項９】
前記セグメント連結送信信号を構成する複数セグメントのそれぞれのセグメントのレイヤが定義される段階（Ｓ８０）をさらに備え、
前記相対値算出段階は、前記複数セグメントのそれぞれのセグメントに定義されたレイヤ毎に前記信号強度特性値を算出し、
前記最低受信レベル相対値算出段階は、前記複数セグメントのそれぞれのセグメントに定義されたレイヤ毎に前記最低受信レベル相対値を算出することを特徴とする請求項７記載の地上マルチメディア放送波信号測定方法。
【請求項１０】
前記セグメント連結送信信号を解析し、レイヤに割り当てられた変調方式と符号化率の情報であるレイヤ割り当て情報を抽出するとともに前記複数セグメントのそれぞれの変調方式と符号化率とを判別する受信信号解析段階（Ｓ７０）をさらに備え、
前記受信信号解析段階で抽出した前記レイヤ割り当て情報と前記判別した複数セグメントのそれぞれの変調方式と符号化率とに基づいて前記複数セグメントのそれぞれのセグメントのレイヤを定義することを特徴とする請求項９記載の地上マルチメディア放送波信号測定方法。
【請求項１１】
前記グラフ表示段階は、前記算出結果のグラフ上に前記セグメント連結送信信号内に配置されるスーパーセグメントを識別できるよう表示することを特徴とする請求項７乃至請求項１０記載の地上マルチメディア放送波信号測定方法。
【請求項１２】
前記信号強度特性値は、前記セグメント連結送信信号の信号電力及び電界強度の少なくとも一方であることを特徴とする請求項７乃至請求項１１記載の地上マルチメディア放送波信号測定方法。
【発明の詳細な説明】
【技術分野】
【０００１】
本発明は、電波によるサービスを行うにあたって必要な信号強度を測定する技術に関し、特に地上マルチメディア放送波の信号強度測定を容易にするための技術に関する。ここで信号強度とは、電力や電界強度などの測定地点での信号の強さを示す値であり、以降の説明では電力と電界強度を用いて説明する。
【背景技術】
【０００２】
テレビ放送はアナログ方式からデジタル方式に移行し、デジタル方式による地上デジタル放送が開始されている。さらに、テレビ放送のデジタル化により空きスペースとなるＶＨＦ帯の２０７．５ＭＨｚ〜２２２ＭＨｚでは、デジタル方式による地上マルチメディア放送が計画されている。またこれらのデジタル方式の電波の伝搬状態を調べるために、各地で電界強度測定が行われている。
【０００３】
例えば、地上デジタルテレビ放送波の電界強度測定を行うシステムとしては、図３に示すように、測定地点の電波を受けるアンテナ１を設置し、そのアンテナ１の出力信号を周波数変換部１１に入力して所望チャンネルの放送波を選択的に中間周波数帯に変換し、チャンネル測定部１２に入力する。
【０００４】
チャンネル測定部１２は、周波数変換部１１から出力された信号Ｓの電力（チャンネル電力という）Ｐを求め、そのチャンネル電力Ｐ、アンテナ１の特性、ケーブル損失などに基づいて電界強度Ｆ（ｄＢμＶ／ｍ）の値を算出する。
【０００５】
セグメント測定部１３は、周波数変換部１１から出力された信号Ｓのうちの特定セグメントの信号電力Ｐsegを求め、その信号電力Ｐsegとアンテナ係数などの情報から電界強度Ｆseg を求める。
【０００６】
測定されたチャンネル電力Ｐや電界強度Ｆ、特定セグメントの電力Ｐsegは、表示制御部１４により表示器１５の画面上に数値あるいはグラフ化されて表示される。作業者は例えばアンテナ１の向きや高さを変化させ、その変化に対するチャンネル電力Ｐや電界強度Ｆ、特定セグメントの電力Ｐsegや電界強度Ｆsegの変化を調べる。
【０００７】
上記のように所望チャンネルのチャンネル電力Ｐや電界強度Ｆ、特定セグメントの電力Ｐsegを測定して表示器に表示する電界強度測定装置は、例えば次の特許文献１に開示されている。
【０００８】
【特許文献１】特開２００７−１９８９３６号公報
【０００９】
地上デジタルテレビ放送の技術規格ＩＳＤＢ−Ｔでは、１チャンネルは、図１７に示すように、幅約４３０ＫＨｚのセグメント１３個により構成され、隣り合うチャンネルはガードバンド（ＧＢ）と呼ばれる未使用周波数帯域により分離されている。
【発明の概要】
【発明が解決しようとする課題】
【００１０】
地上マルチメディア放送の技術規格ＩＳＤＢ−Ｔｍｍでは、図１８に示すように、地上マルチメディア放送に割り当てられた周波数帯域（ＶＨＦ帯の２０７．５ＭＨｚ〜２２２ＭＨｚ）は３３のセグメント（ＳＥＧ０〜ＳＥＧ３２）により構成されている。なお、以降の説明においては、セグメント番号であるＳＥＧ０〜ＳＥＧ３２のそれぞれを、セグメント０〜セグメント３２と呼ぶこともある。
【００１１】
このとき各セグメントの間はガードバンドによる分離はされておらず、３３セグメントの信号が連結され、セグメント連結送信信号として放送用送信局より送信される。また、３３セグメント内には、タイプＡスーパーセグメントと呼ばれる１３セグメント形式によるスーパーセグメントが２つと、タイプＢスーパーセグメントと呼ばれる１セグメント形式によるスーパーセグメントが配置されている。それぞれのスーパーセグメントに連結順に番号（スーパーセグメント番号）を割り当て、スーパーセグメント１〜スーパーセグメント３と呼ぶこともある。
【００１２】
さらに、セグメント連結送信信号では、上述のスーパーセグメント内で異なる伝送方式の使用が可能となっており、それぞれの伝送方式のセグメントの集まりをレイヤ（階層とも言う）と呼んでいる。図１２にセグメント連結送信信号のセグメント番号とスーパーセグメント番号およびレイヤの対応例を示す。ここでは、伝送方式として1セグメントを使用するレイヤＡと、伝送方式として１２セグメントを使用するレイヤＢについて例示する。
【００１３】
図１２中、スーパーセグメント番号１内のセグメント番号６のレイヤＡの両側のレイヤＢ（セグメント番号０〜５とセグメント番号７〜１２はスーパーセグメント番号１内で同一のレイヤ（レイヤＢ）であり、スーパーセグメント番号２内のセグメント番号１９のレイヤＡの両側のレイヤＢ（セグメント番号１３〜１８と２０〜２５）はスーパーセグメント番号２内で同一のレイヤ（レイヤＢ）である。スーパーセグメント番号３（セグメント番号２６〜３２）は、全てレイヤＡであるが、レイヤＡは1セグメントを使用する伝送方式であるので、それぞれが別々のレイヤＡである。
【００１４】
また、地上マルチメディア放送では、地上デジタルテレビ放送とは異なり、放送用送信局設備を持たない複数の委託放送事業者から番組やコンテンツを受託放送事業者が受け取り、受け取った番組やコンテンツについて受託放送事業者がセグメント連結送信信号を作成し放送用送信局から送信する。
【００１５】
従って、セグメント連結送信信号のセグメント毎に委託放送事業者は異なる場合があり、それぞれの委託放送事業者は、自身の使用するセグメントについて測定する必要がある。一方で受託放送事業者は放送用送信局より送信するセグメント連結送信信号全体について測定する必要がある。
【００１６】
また、地上マルチメディア放送では、番組やコンテンツによって１３セグメント形式のタイプＡスーパーセグメントを使用する場合や１セグメント形式のタイプＢスーパーセグメントを利用する場合があり、さらに、スーパーセグメント内で異なる伝送方式（異なるレイヤ）が使用されるので、測定者はセグメント毎だけでなくスーパーセグメント内のレイヤ（伝送方式）毎にもセグメント連結送信信号を測定する必要がある。
【００１７】
ここで、測定地点で電波を受けて地上マルチメディア放送波を受信する端末側から考えると、セグメントやレイヤの電界強度や電力が下がっていたとしても受信に必要なレベル以上であれば地上マルチメディア放送の受信には支障はない。
【００１８】
ここで１セグメント電界強度は、セグメント連結送信信号の電界強度Ｆの１／３３の演算で求めることができ、この算出値をセグメント連結送信信号の電力や電界強度とともに表示器に表示することが考えられる。
【００１９】
しかし、実際の電波伝搬路の周波数特性は、建物の反射（マルチパス）等の影響を受けるため、図１９のようにセグメント連結送信信号全体にわたって平坦にならない場合が多く、セグメント連結送信信号全体では十分な電界強度があっても、特定のセグメントや特定レイヤでは受信に必要な電界強度が得られない場合が発生し、上記のような単純計算で得られた電界強度では正確な情報を得ることが困難である。
【００２０】
このとき、セグメント連結送信信号の３３セグメント全体に渡り、その電界強度や電力の絶対値を単純にグラフ表示する方法も考えられる。
【００２１】
この方法によれば、マルチパスの影響を受けているか否かを確認することはできる。しかし、各セグメントやスーパーセグメント内の各レイヤそれぞれが受けるマルチパスの影響の大きさを確認することは難しい。
【００２２】
さらに、地上マルチメディア放送ではレイヤ毎に異なる伝送方式を利用することが出来るが、伝送方式毎に受信に必要な電界強度が異なるため各セグメントの電界強度の絶対値を単純にグラフ表示するだけでは受信に必要な電界強度が得られているかを判断することは困難である。
【００２３】
本発明は、これらの課題を解決し、セグメント連結送信信号の各セグメントの信号電力や電界強度の実測が可能で、しかも各セグメントがマルチパスなどの影響により受信に最低限必要なレベルを下回っているか否かを容易に把握できる地上マルチメディア放送波信号測定装置を提供することを目的としている。
【課題を解決するための手段】
【００２４】
前記目的を達成するために、本発明の請求項１の地上マルチメディア放送波信号測定装置は、
地上マルチメディア放送波として送信されるセグメント連結送信信号を受信して、該セグメント連結送信信号の信号強度を測定し、該測定結果を表示器（２７）の画面上に表示する地上マルチメディア放送波信号測定装置であって、
前記セグメント連結送信信号の信号強度を測定するセグメント連結送信信号測定部（２２）と、
前記セグメント連結送信信号を構成する複数セグメントのそれぞれのセグメントの信号強度を測定するセグメント測定部（２３）と、
前記セグメント連結送信信号測定部の測定結果と前記セグメント連結送信信号を構成するセグメント数とからセグメントあたりの信号強度の平均値を算出するセグメント平均値算出手段（２４）と、
前記セグメント測定部で測定された前記それぞれのセグメントの信号強度の測定値からセグメント毎の信号強度特性値を算出するとともに、前記セグメント平均値算出手段で算出された前記信号強度の平均値から信号強度特性基準値を算出し、前記信号強度特性値と前記信号強度特性基準値との差である受信レベル相対値を算出する相対値算出手段（２５）と、
前記セグメント連結送信信号を構成する複数セグメントのそれぞれのセグメント毎の最低受信レベルが定義された最低受信レベルテーブル（２８１）を備え、該最低受信レベルテーブルのセグメント毎の最低受信レベルと前記信号強度特性基準値との差である最低受信レベル相対値を算出する最低受信レベル相対値算出手段（２８）と、
前記相対値算出手段のセグメント毎の前記受信レベル相対値をグラフとして前記表示器に表示するとともに、セグメント毎の前記受信レベル相対値それぞれが前記最低受信レベル相対値算出手段で算出された対応するセグメントの前記最低受信レベル相対値を下回った場合、当該セグメントを識別可能に表示する表示制御部（２６）とを設けたことを特徴としている。
【００２５】
また、本発明の請求項２の地上マルチメディア放送波信号測定装置は、請求項１記載の地上マルチメディア放送波信号測定装置において、
前記セグメント連結送信信号を解析し、前記複数セグメントのそれぞれの変調方式と符号化率とを判別する受信信号解析部（２９）をさらに備え、
前記最低受信レベル相対値算出手段は、前記受信信号解析部で判別した前記複数セグメントのそれぞれの変調方式と符号化率とに基づいてセグメント毎の最低受信レベルを前記最低受信レベルテーブルに設定し、該設定された最低受信レベルテーブルを用いて前記最低受信レベル相対値を算出することを特徴としている。
【００２６】
また、請求項３の地上マルチメディア放送波信号測定装置は、請求項１記載の地上マルチメディア放送波信号測定装置において、
前記セグメント連結送信信号を構成する複数セグメントのそれぞれのセグメントのレイヤが定義されたレイヤ定義テーブル（３０）をさらに備え、
前記相対値算出手段は、前記レイヤ定義テーブルに定義されたレイヤ毎に前記信号強度特性値を算出し、
前記最低受信レベル相対値算出手段は、前記レイヤ定義テーブルに定義されたレイヤ毎に前記最低受信レベル相対値を算出することを特徴としている。
これにより、各レイヤがマルチパスなどの影響により受信に最低限必要なレベルを下回っているか否かを容易に把握できる。
【００２７】
また、本発明の請求項４の地上マルチメディア放送波信号測定装置は、請求項３記載の地上マルチメディア放送波信号測定装置において、
前記セグメント連結送信信号を解析し、レイヤに割り当てられた変調方式と符号化率の情報であるレイヤ割り当て情報を抽出するとともに前記複数セグメントのそれぞれの変調方式と符号化率とを判別する受信信号解析部（２９）をさらに備え、
前記レイヤ定義テーブルは、前記受信信号解析部で抽出した前記レイヤ割り当て情報と前記判別した複数セグメントのそれぞれの変調方式と符号化率とに基づいて前記それぞれのセグメントのレイヤを設定することを特徴としている。
【００２８】
また、本発明の請求項５の地上マルチメディア放送波信号測定装置は、請求項１乃至請求項４記載の地上マルチメディア放送波信号測定装置において、
前記表示制御部は、前記算出結果のグラフ上に前記セグメント連結送信信号内に配置されるスーパーセグメントを識別できるよう前記表示器に表示することを特徴としている。
【００２９】
また、本発明の請求項６の地上マルチメディア放送波信号測定装置は、請求項１乃至請求項５記載の地上マルチメディア放送波信号測定装置において、
前記信号強度特性値は、前記セグメント連結送信信号の信号電力及び電界強度の少なくとも一方であることを特徴としている。
【００３０】
また、本発明の請求項７の地上マルチメディア放送波信号測定方法は、
地上マルチメディア放送波として送信されるセグメント連結送信信号を受信して、該セグメント連結送信信号の信号強度を測定し、該測定結果を表示する地上マルチメディア放送波信号測定方法であって、
前記セグメント連結送信信号の信号強度を測定するセグメント連結送信信号測定段階（Ｓ１０）と、
前記セグメント連結送信信号を構成する複数セグメントのそれぞれのセグメントの信号強度を測定するセグメント測定段階（Ｓ２０）と、
前記セグメント連結送信信号測定部の測定結果と前記セグメント連結送信信号を構成するセグメント数とからセグメントあたりの信号強度の平均値を算出するセグメント平均値算出段階（Ｓ３０）と、
前記セグメント測定段階で測定された前記それぞれのセグメントの信号強度の測定値からセグメント毎の信号強度特性値を算出するとともに、前記セグメント平均値算出段階で算出された前記信号強度の平均値から信号強度特性基準値を算出し、前記信号強度特性値と前記信号強度特性基準値との差である受信レベル相対値を算出する相対値算出段階（Ｓ４０）と、
前記セグメント連結送信信号を構成する複数セグメントのそれぞれのセグメント毎の最低受信レベルが定義される段階を備え、該定義されたセグメント毎の最低受信レベルと前記信号強度特性基準値との差である最低受信レベル相対値を算出する最低受信レベル相対値算出段階（Ｓ５０）と、
前記相対値算出段階のセグメント毎の前記受信レベル相対値をグラフとして表示するとともに、セグメント毎の前記受信レベル相対値それぞれが前記最低受信レベル相対値算出段階で算出された対応するセグメントの前記最低受信レベル相対値を下回った場合、当該セグメントを識別可能に表示するグラフ表示段階（Ｓ６０）とを設けたことを特徴としている。
【００３１】
また、本発明の請求項８の電界強度測定方法は、請求項７記載の地上マルチメディア放送波信号測定方法において、
前記セグメント連結送信信号を解析し、前記複数セグメントのそれぞれの変調方式と符号化率とを判別する受信信号解析段階（Ｓ７０）をさらに備え、
前記最低受信レベル相対値算出段階は、前記受信信号解析段階で判別した前記複数セグメントのそれぞれの変調方式と符号化率とに基づいてセグメント毎の最低受信レベルを定義し、該定義された最低受信レベルを用いて前記最低受信レベル相対値を算出することを特徴としている。
【００３２】
また、本発明の請求項９の地上マルチメディア放送波信号測定方法は、請求項７記載の地上マルチメディア放送波信号測定方法において、
前記セグメント連結送信信号を構成する複数セグメントのそれぞれのセグメントのレイヤが定義される段階（Ｓ８０）をさらに備え、
前記相対値算出段階は、前記複数セグメントのそれぞれのセグメントに定義されたレイヤ毎に前記信号強度特性値を算出し、
前記最低受信レベル相対値算出段階は、前記複数セグメントのそれぞれのセグメントに定義されたレイヤ毎に前記最低受信レベル相対値を算出することを特徴としている。
これにより、各レイヤがマルチパスなどの影響により受信に最低限必要なレベルを下回っているか否かを容易に把握できる。
【００３３】
また、本発明の請求項１０の地上マルチメディア放送波信号測定方法は、請求項９記載の地上マルチメディア放送波信号測定方法において、
前記セグメント連結送信信号を解析し、レイヤに割り当てられた変調方式と符号化率の情報であるレイヤ割り当て情報を抽出するとともに前記複数セグメントのそれぞれの変調方式と符号化率とを判別する受信信号解析段階（Ｓ７０）をさらに備え、
前記受信信号解析段階で抽出した前記レイヤ割り当て情報と前記判別した複数セグメントのそれぞれの変調方式と符号化率とに基づいて前記複数セグメントのそれぞれのセグメントのレイヤを定義することを特徴としている。
【００３４】
また、本発明の請求項１１の地上マルチメディア放送波信号測定方法は、請求項７乃至請求項１０記載の地上マルチメディア放送波信号測定方法において、
前記グラフ表示段階は、前記算出結果のグラフ上に前記セグメント連結送信信号内に配置されるスーパーセグメントを識別できるよう表示することを特徴としている。
【００３５】
また、本発明の請求項１２の地上マルチメディア放送波信号測定方法は、請求項７乃至請求項１１記載の地上マルチメディア放送波信号測定方法において、
前記信号強度特性値は、前記セグメント連結送信信号の信号電力及び電界強度の少なくとも一方であることを特徴としている。
【発明の効果】
【００３６】
本発明の地上マルチメディア放送波信号測定装置は、セグメント連結送信信号の各セグメントやの信号電力および電界強度を実測でき、しかもその実測結果と、演算で得られた１セグメント当たりの信号電力や電界強度の平均値より算出した各セグメントや各レイヤの信号電力や電界強度との差を画面上で識別できるように表示している。さらに、各セグメントがマルチパスなどの影響により受信に最低限必要なレベルを下回っているか否かを画面上で識別できるように表示している。
【００３７】
また、セグメント毎に異なる伝送方式が利用され、伝送方式毎に受信に必要な電界強度が異なる場合でも、各セグメントが受信に必要な電界強度が得られているかを容易に判断することが可能である。
【図面の簡単な説明】
【００３８】
【図１】本発明の実施形態の構成を示す図
【図２】実施形態の測定結果の表示例を示す図
【図３】従来装置の構成を示す図
【図４】最低受信レベル相対値算出手段
【図５】最低受信レベルテーブル
【図６】実施形態の測定結果の別の表示例を示す図
【図７】本発明の第２の実施形態の構成を示す図
【図８】受信信号解析部
【図９】所要ＣＮテーブル
【図１０】パラメータテーブル
【図１１】本発明の第３の実施形態の構成を示す図
【図１２】レイヤ定義テーブル（セグメント番号とスーパーセグメント番号およびレイヤの対応）
【図１３】実施形態の測定結果の別の表示例を示す図
【図１４】実施形態の測定結果の別の表示例を示す図
【図１５】本発明の第４の実施形態の構成を示す図
【図１６】レイヤ対応テーブル（レイヤ割り当て情報）
【図１７】地上デジタルテレビ放送波のチャンネル構成図
【図１８】地上マルチメディア放送波のセグメント構成図
【図１９】地上マルチメディア放送波の伝搬周波数特性例
【図２０】本発明の測定方法のフローチャート
【発明を実施するための最良の形態】
【００３９】
以下、図面に基づいて本発明の実施の形態を説明する。図１は、本発明を適用した地上マルチメディア放送波信号測定装置２０の構成を示している。
【００４０】
この地上マルチメディア放送波信号測定装置２０は、前記した従来装置と同様に、測定地点に設置したアンテナ１の出力信号を周波数変換部２１に入力してセグメント連結送信信号を中間周波数帯に変換し、その信号Ｓをセグメント連結送信信号測定部２２およびセグメント測定部２３に入力する。
【００４１】
セグメント連結送信信号測定部２２は、入力信号Ｓの電力、即ちセグメント連結送信信号の電力Ｐを求め、そのセグメント連結送信信号の電力Ｐとアンテナ１の係数等に基づいてセグメント連結送信信号の電界強度Ｆを求める。なお、ここでは電力として単位ｄＢμＶ（ｅｍｆ）で示される開放端電圧値を用いて説明するが、単位ｄＢｍ等の別の単位で示される値を用いても良い。
【００４２】
セグメント測定部２３は、入力信号Ｓの３３セグメント（ＳＥＧ０〜ＳＥＧ３２）のそれぞれのセグメントについて信号電力Ｐseg０〜Ｐseg３２を求め、その信号電力Ｐseg０〜Pseg３２とアンテナ係数などの情報からそれぞれのセグメントの電界強度Ｆseg０〜Ｆseg３２を求める。これらの２つの測定部２２、２３の処理は例えばＤＳＰ等によるデジタルフィルタリングおよび演算処理で行われる。
【００４３】
ここで、セグメント測定部による３３セグメントそれぞれに対する処理は、ＤＳＰ等を複数（例えば３３個）用意し、複数のセグメントについて同時に処理しても、1つのＤＳＰ等により時分割で処理するように構成することも可能である。
【００４４】
セグメント平均値算出手段２４は、セグメント連結送信信号の電力Ｐおよびセグメント連結送信信号の電界強度Ｆと、そのセグメント連結送信信号のセグメント数ｍ（＝３３）とから、１セグメント当たりの電力Ｐｒおよび電界強度Ｆｒを次の演算で求める。
【００４５】
Ｆｒ＝Ｆ−１０ log ｍ
＝Ｆ−１０ log ３３＝Ｆ−１５．１９    （ｄＢμＶ／ｍ）
Ｐｒ＝Ｐ−１５．１９    ［ｄＢμＶ（ｅｍｆ）］
【００４６】
上記演算で得られる電界強度Ｆｒ、信号電力Ｐｒは、各セグメントの電界強度と信号電力の平均値であり、セグメント連結送信信号全体の周波数特性が平坦である理想状態における各セグメントの電界強度と信号電力の値を表している。
【００４７】
相対値算出手段２５は、セグメント連結送信信号のセグメント毎に、それぞれのセグメントの実測の電界強度Ｆsegを受けて、それぞれのセグメントの信号強度特性値を算出し、１セグメント当たりの電界強度Ｆｒを受けて、信号強度特性基準値を算出する。そして、それぞれのセグメント毎に上記信号強度特性基準値に対する各セグメントの信号強度測定値相対値である受信レベル相対値ΔＦｎ（ｎ：０〜最大３２）を算出する。
ΔＦｎ＝各セグメントの信号強度特性値―信号強度特性基準値
＝各セグメントの実測の電界強度Ｆsegｎ −
１セグメント当たりの電界強度Ｆｒ  （ｄＢ）    （ｎ：０〜最大３２）
を求める。
【００４８】
また、電力Ｐｒ、Ｐseg についても次の演算、
ΔＰｎ＝各セグメントの信号強度特性値―信号強度基準値
＝各セグメントの実測の信号電力Ｐsegｎ −
1セグメント当たりの信号電力Ｐｒ  （ｄＢ）    （ｎ：０〜最大３２）
で受信相対値ΔＰｎ（ｎ：０〜最大３２）を求める。
なお、アンテナ係数がセグメント連結送信信号内で一定であれば、両受信レベル相対値ΔＦｎ、ΔＰｎは等しい。
【００４９】
最低受信レベル相対値算出手段２８は、セグメント平均値算出手段２４で算出した１セグメント当たりの電界強度Ｆｒを受けて、前述の信号強度特性基準値を算出する。そして、セグメント毎に信号強度特性基準値に対する各セグメントの最低受信レベルＦthの相対値である最低受信レベル相対値ΔＦthｎ（ｎ：０〜最大３２）を算出する。
ΔＦthｎ＝各セグメントの最低受信レベル―信号強度特性基準値
＝各セグメントの最低受信レベルＦthｎ −
１セグメント当たりの電界強度Ｆｒ  （ｄＢ）    （ｎ：０〜最大３２）
を求める。
【００５０】
また同様に、セグメント平均値算出手段２４で算出した１セグメント当たりの電力Ｐｒを受けて、前述の信号強度特性基準値を算出する。そして、セグメント毎に1セグメント当たりの電力Ｐｒに対する各セグメントの最低受信レベルＰthの相対値である最低受信レベル相対値ΔＰthｎ（ｎ：０〜最大３２）、即ち、
ΔＦthｎ＝各セグメントの最低受信レベル―信号強度特性基準値
＝各セグメントの最低受信レベルＰthｎ −
１セグメント当たりの電力Ｐｒ  （ｄＢ）    （ｎ：０〜最大３２）
を求める。
なお、アンテナ係数がセグメント連結送信信号内で一定であれば、両最低受信レベル相対値ΔＦthｎ、ΔＰthｎは等しい。
【００５１】
より詳細には、最低受信レベル相対値算出手段２８は、図４に示すように最低受信レベルテーブル２８１、所要ＣＮテーブル２８２、パラメータテーブル２８３を備えて構成される。所要ＣＮテーブル２８２とパラメータテーブル２８３については後述する。
【００５２】
最低受信レベルテーブル２８１には、各セグメントの最低受信レベル（ＦthおよびＰth）が定義されている。最低受信レベル（Ｆth）の例を図５に示す。セグメント番号０から５の最低受信レベルが１５．１（ｄＢμＶ/ｍ）であり、セグメント番号６の最低受信レベルが１６．８（ｄＢμＶ/ｍ）であることを示している。
【００５３】
ここで、最低受信レベルテーブルの各セグメントの最低受信レベルは、図示しない操作部から設定された場合の例である。なお、後述するように操作部からの設定ではなく、セグメント連結送信信号を解析し、解析した情報をもとに所要ＣＮテーブル２８２、パラメータテーブル２８３を用いて算出した値を設定することも可能である。
【００５４】
この最低受信レベルテーブル２８１に定義された各セグメントの最低受信レベル（ＦthおよびＰth）と信号強度特性基準値（1セグメント当たりの電界強度Ｆｒおよび電力Ｐｒ）とから、各セグメントの信号強度特性基準値に対する各セグメントの最低受信レベルＦthの相対値である最低受信レベル相対値ΔＦthおよび、の最低最低受信レベル相対値ΔＰthを算出する。
【００５５】
表示制御部２６は、セグメント連結送信信号の電力Ｐ、セグメント連結送信信号の電界強度Ｆ、１セグメント当たりの電力Ｐｒ、１セグメント当たりの電界強度Ｆｒ、各セグメントの電力Ｐseg０〜Ｐseg３２、各セグメントの電界強度Ｆseg０〜Ｆseg３２ 、電界強度Ｆｒに対する各セグメントの実測の電界強度Ｆsegの相対値である受信レベル相対値ΔＦ０〜ΔＦ３２、電力Ｐｒに対する各セグメントの実測の電力Ｐsegの相対値である受信レベル相対値ΔＰ０〜ΔＰ３２、電界強度Ｆｒに対する各セグメントの最低受信レベルＦthの相対値である最低受信レベル相対値ΔＦth０〜ΔＦth３２、電力Ｐｒに対する各セグメントの最低受信レベルＰthの相対値である最低受信レベル相対値ΔＰth０〜ΔＰth３２を受け、これらの情報を表示器２７の画面上に所定のレイアウトで表示する。
【００５６】
より詳細には、表示制御部２６は、測定結果表示制御部２６１、相対値連結表示制御部２６２、スーパーセグメント表示制御部２６３、特定セグメント表示制御部２６４、最低受信閾値表示制御部２６５を備えて構成されている。
【００５７】
測定結果表示制御部２６１は、セグメント連結送信信号測定部２２の測定結果であるセグメント連結送信信号の電力Ｐ、電界強度Ｆの表示器２７の画面上への表示を制御する。
【００５８】
相対値連結表示制御部２６２は、相対値算出手段２５の算出結果である、セグメント連結送信信号全体の平均電力Ｐｒに対する各セグメントの実測の電力Ｐsegの相対値ΔＰまたはセグメント連結送信信号全体の平均電界強度Ｆｒに対する各セグメントの実測の電界強度Ｆsegの相対値である受信レベル相対値ΔＦをセグメントの連結順に並べたグラフとしてスケールとともに表示器２７の画面上への表示するための制御を行う。
【００５９】
スーパーセグメント表示制御部２６３は、セグメント連結送信信号全体の平均電力Ｐｒに対する各セグメントの実測の電力Ｐsegの相対値ΔＰまたはセグメント連結送信信号全体の平均電界強度Ｆｒに対する各セグメントの実測の電界強度Ｆsegの相対値である受信レベル相対値ΔＦがセグメントの連結順に表示されたグラフ上でスーパーセグメントの区切り、およびタイプＡスーパーセグメントの中央セグメントを識別可能に表示するための制御を行う。なお、図示しない操作部からの指定により中央セグメントではなく、他のセグメントを識別可能に表示することも可能である。
【００６０】
特定セグメント表示制御部２６４は、セグメント測定部２３の測定結果である３３セグメントのそれぞれのセグメントの電力Ｐseg０〜Ｐseg３２、電界強度Ｆseg０〜Ｆseg３２のうち図示しない操作部から指定されたセグメントの測定結果の表示器２７の画面上への表示と、セグメントの連結順に表示されたグラフ上で指定されたセグメントを識別可能に表示するための制御を行う。
【００６１】
最低受信閾値表示制御部２６５は、セグメント連結送信信号全体の平均電力Ｐｒに対する各セグメントの実測の電力Ｐsegの相対値ΔＰまたはセグメント連結送信信号全体の平均電界強度Ｆｒに対する各セグメントの実測の電界強度Ｆsegの相対値である受信レベル相対値ΔＦがセグメントの連結順に表示されたグラフ上で、最低受信レベル相対値算出手段２８の算出結果である各セグメントの最低受信レベルの相対値である最低受信レベル相対値ΔＦthまたはΔＰthに相当するレベルを識別可能に表示するための制御や、相対値算出手段２５の算出結果である各セグメントの相対値である受信レベル相対値ΔＦまたはΔＰと、最低受信レベル相対値算出手段２８の算出結果である各セグメントの最低受信レベルの相対値である最低受信レベル相対値ΔＦthまたはΔＰthとを比較することにより最低受信レベルを下回るセグメントを判別し、セグメント連結送信信号全体の平均電力Ｐｒに対する各セグメントの実測の電力Ｐsegの相対値である受信レベル相対値ΔＰまたはセグメント連結送信信号全体の平均電界強度Ｆｒに対する各セグメントの実測の電界強度Ｆsegの相対値である受信レベル相対値ΔＦがセグメントの連結順に表示されたグラフ上で最低受信レベルを下回るセグメントを識別可能に表示するための制御を行う。
【００６２】
図２は、その表示レイアウトの一例を示すものであり、上段左側には、セグメント連結送信信号全体（３３Ｓｅｇｍｅｎｔ）５０の電力Ｐの値「６８．２８」と電界強度Ｆの値「８７．６５」が表示され、上段右側には特定セグメント（１Ｓｅｇｍｅｎｔ  ＠Ｎｏ）５１の電力Ｐsegの値「４８．２８」と電界強度Ｆsegの値「６７．６５」が表示されている。なお、ここでは特定セグメントは図示しない操作部から指定されたセグメント（セグメント２８）の値が表示されている。
【００６３】
また、下段にはセグメント連結送信信号全体の平均電力に対する各セグメントの相対値を棒グラフ５５で示したものを、セグメント連結送信信号内で連結されているセグメントの連結順に左から並べて１つのグラフ（Ｒｅｌａｔｉｖｅ Ｌｅｖｅｌ ｖｓ Ｓｅｇｍｅｎｔ）５２として表示している。
【００６４】
グラフ（Ｒｅｌａｔｉｖｅ Ｌｅｖｅｌ ｖｓ Ｓｅｇｍｅｎｔ）５２の左側には、グラフの縦軸スケールを示す−２０ｄＢ、０ｄＢ、＋１０ｄＢが表示され、下側にはグラフ横軸のスケールとして左側より周波数順に連結されたセグメント番号を示す０、１６、３２が表示されている。なお、グラフの縦軸のスケール表示は一例であり、測定値に応じて変更が可能である。横軸のスケールについても同様に表示は一例であり変更が可能である。
【００６５】
また、グラフ（Ｒｅｌａｔｉｖｅ Ｌｅｖｅｌ ｖｓ Ｓｅｇｍｅｎｔ）５２内には、相対値０ｄＢの位置を示すライン５４と、タイプＡスーパーセグメントのくくりを示すライン５６が表示されている。なお、ラインによりスーパーセグメントのくくりを表示するのではなく、背景色等を変える等によりスーパーセグメントのくくりが識別できるように表示してもよい。
【００６６】
ここで、各セグメントの受信レベル相対値を示した棒グラフ５５の内、最低受信レベルを下回ったセグメント（セグメント２、セグメント２３）５７を他のセグメントとは表示色や模様を変えることにより識別可能に表示している。
【００６７】
なお、図６に示すように最低受信レベルに相当するレベルにライン６０を表示するようにしても良い。さらに最低受信レベルに相当するレベルのラインと最低受信レベルを下回ったセグメントの表示色や模様を変えることの両方を行って表示するようにしても良い。
【００６８】
また、各セグメントの受信レベル相対値を示した棒グラフ５５の内、タイプＡスーパーセグメントの中央セグメント５８が他のセグメントとは表示色や模様を変えることにより識別可能に表示している。
【００６９】
さらに、上段右側に表示される特定セグメント（１Ｓｅｇｍｅｎｔ  ＠Ｎｏ）５１の表示と連動して、図示しない操作部から指定されたセグメントが他のセグメントとは表示色や模様を変えることにより識別可能に表示することができる。ここでは指定されたセグメント（セグメント２８）５９が識別可能に表示されている。
【００７０】
次に図７を用いて第２の実施例について説明する。なお、図１と機能が同じである機能ブロックについては説明を省略する。
【００７１】
受信信号解析部２９は、入力信号Ｓ、即ちセグメント連結送信信号を解析して３３セグメント（ＳＥＧ０〜ＳＥＧ３２）のそれぞれのセグメントの変調方式と符号化率を判別する。
【００７２】
より詳細には、受信信号解析部２９は、図８に示すように変調方式・符号化率判別部２９１とレイヤ対応テーブル２９２とを備えて構成される。レイヤ対応テーブル２９２については後述する。
【００７３】
変調方式・符号化率判別部２９１は、入力信号Ｓを解析して３３セグメント（ＳＥＧ０〜ＳＥＧ３２）のそれぞれのセグメントの変調方式と符号化率を判別し、判別結果を最低受信レベル相対値算出手段２８に出力する。
【００７４】
それぞれのセグメントの変調方式と符号化率の判別結果を受けた最低受信レベル相対値算出手段２８は、変調方式と符号化率によって定められる所要ＣＮの値とアンテナ係数など複数のパラメータ値とから、それぞれのセグメントの最低受信レベルを算出し、算出した値を前述の最低受信レベルテーブル２８１に設定する。詳細に説明する。
【００７５】
最低受信レベル相対値算出手段２８は、前述のように最低受信レベルテーブル２８１、所要ＣＮテーブル２８２、パラメータテーブル２８３を備えて構成される（図４）。所要ＣＮテーブル２８２は、変調方式と符号化率によって定められる所要ＣＮの値がテーブルとして保持されている。図９に例を示す。このテーブルに基づき、それぞれのセグメントの変調方式と符号化率とから、そのセグメントの所要ＣＮの値を求める。例えばセグメントの変調方式がＱＰＳＫ、符号化率が１/２の場合、所要ＣＮテーブルより所要ＣＮの値は４．９ｄＢであることがわかる。
【００７６】
パラメータテーブル２８３には、セグメントの最低受信レベルを算出するのに必要なアンテナ係数など複数のパラメータとその値が保持されている。図１０に例を示す。それぞれのパラメータの値は図示しない操作部より設定される。ここでパラメータの値は例であり、またパラメータの種類の増減も可能である。操作部からの設定は、直接入力、予め登録された値の選択、記憶装置からの読み込みなどが考えられるが、これに限定されるものではない。
【００７７】
それぞれのセグメントの変調方式と符号化率とから所要ＣＮテーブル２８２より求めた所要ＣＮの値ＣＮｎ（ｎ：０〜最大３２）と、パラメータテーブル２８３のパラメータ値より、各セグメントの最低受信レベルＦthｎ（ｎ：０〜最大３２）を以下の式により算出する。
Ｆthｎ＝ＣＮｎ＋Ａ＋Ｂ＋Ｃ＋１０logＤ＋Ｅ  （ｄＢμＶ/ｍ）  （ｎ：０〜最大３２）
ここで、ＣＮ：所要ＣＮ（ｄＢ）
Ａ：熱雑音（ｄＢｍ/Ｈｚ）
Ｂ：アンテナ係数（ｄＢ）
Ｃ：マージン（ｄＢ）
Ｄ：セグメント帯域幅（Ｈｚ）
Ｅ：補正値（ｄＢ）
なお、パラメータの種類を増減した場合には、上記式をパラメータの増減に対応させることにより各セグメントの最低受信レベルＦthｎを算出する。
【００７８】
また各セグメントの最低受信レベルＰthｎを以下の式により算出する。
Ｐthｎ＝ＣＮｎ＋Ａ＋Ｂ＋Ｃ＋１０logＤ（ｄＢμＶ）  （ｎ：０〜最大３２）
ここで、ＣＮ：所要ＣＮ（ｄＢ）
Ａ：熱雑音（ｄＢｍ/Ｈｚ）
Ｂ：アンテナ係数（ｄＢ）
Ｃ：マージン（ｄＢ）
Ｄ：セグメント帯域幅（Ｈｚ）
なお、パラメータの種類を増減した場合には、上記式をパラメータの増減に対応させることにより各セグメントの最低受信レベルＰthｎを算出する。
【００７９】
具体的な例を示す。セグメント１の変調方式がＱＰＳＫ、符号化率が１/２であった場合、所要ＣＮテーブル２８２より所要ＣＮの値は４．９（ｄＢ）となる。そして、Ａ〜Ｅの各パラメータ値にはパラメータテーブル２８３の値を入れセグメント０の最低受信レベルＦth０を算出する。
Ｆth０＝ＣＮ０＋Ａ＋Ｂ＋Ｃ＋１０logＤ＋Ｅ
＝４．９＋（−１７４）＋１５．９＋５＋１０log（４３０×１０３）＋１０７
＝１５．１  （ｄＢμＶ/ｍ）
そして、算出したセグメント０の最低受信レベルを最低受信レベルテーブル２８１に設定する。同様に他のセグメントについても算出し、最低受信レベルテーブル２８１に設定する。各セグメントについて最低受信レベルを算出し、最低受信レベルテーブル２８１に設定した状態の例を図５に示す。
【００８０】
最低受信レベル相対値算出手段２８では、所要ＣＮテーブル２８２より求めた所要ＣＮの値と、パラメータテーブル２８３のパラメータ値より算出した最低受信レベルＦthおよびＰthが設定された最低受信レベルテーブル２８１の値を用いて最低受信レベル相対値ΔＦthおよびΔＰthを算出する。以降の動作については説明済みであるので省略する。
【００８１】
次に図１１を用いて第３の実施例について説明する。本実施例では前述したセグメント連結送信信号に定義されたレイヤ毎に算出や結果の表示を行う。なお、図１および図７と機能が同じである機能ブロックについては説明を省略する。
【００８２】
レイヤ定義テーブル３０は、図１２に示すようなセグメント連結送信信号の各セグメント（セグメント番号）に定義されているスーパーセグメント番号とレイヤの対応を示すテーブルである。ここで、各セグメントのスーパーセグメントとレイヤは、図示しない操作部よりレイヤ定義テーブルに設定された状態を示す例である。後述するように、レイヤ定義テーブル３０は、操作部からの設定ではなく、受信したセグメント連結送信信号を解析し、解析した情報をもとに設定することも可能である。
【００８３】
相対値算出手段２５は、レイヤ定義テーブル３０の情報に基づきセグメント連結送信信号に定義されているレイヤ毎に、それぞれのレイヤに属するセグメントの実測の電界強度Ｆsegを合算した値であるレイヤ別の信号強度特性値と、それぞれのレイヤに属するセグメント数分上記電界強度Ｆｒを加算した値であるレイヤ別の信号強度特性基準値を算出する。
そして、セグメント連結送信信号に定義されているレイヤ毎に上記電界強度Ｆｒより算出したレイヤ別の信号強度特性基準値に対する各セグメントの実測の電界強度Ｆsegより算出したレイヤ別の信号強度特性値の相対値である受信レベル相対値ΔＦｎ（ｎ：０〜最大３２）、即ち、
ΔＦｎ＝Ｆsegより算出したレイヤ別の信号強度特性値 −
Ｆｒより算出したレイヤ別の信号強度特性基準値（ｄＢ）（ｎ：０〜最大３２）
を求める。
【００８４】
また、電力Ｐｒ、Ｐseg についても次の演算、
ΔＰｎ＝Ｐsegより算出したレイヤ別の信号強度特性値 −
Ｐｒより算出したレイヤ別の信号強度特性基準値（ｄＢ）（ｎ：０〜最大３２）
で受信レベル相対値ΔＰｎ（ｎ：０〜最大３２）を求める。
なお、アンテナ係数がセグメント連結送信信号内で一定であれば、両受信レベル相対値ΔＦｎ、ΔＰｎは等しい。
【００８５】
セグメント番号０〜１２（スーパーセグメント番号１）の受信レベル相対値算出を例に説明する。図１２に示すレイヤ定義テーブルより、セグメント番号０〜５とセグメント番号７〜１２は同じスーパーセグメント（スーパーセグメント番号１）のレイヤＢと定義されているので、
ΔＦｎ＝Ｆsegより算出したレイヤ別の信号強度特性値 − 
Ｆｒより算出したレイヤ別の信号強度特性基準値（ｎ：０〜５、７〜１２）
＝１０ log｛１０^（(Ｆseg０)/１０）＋・・・＋１０^（(Ｆseg５)/１０）＋
１０^（(Ｆseg７)/１０）＋・・・＋１０^（(Ｆseg１２)/１０）｝−
（Ｆr＋１０log１２） （ｄＢ）
で算出される。
また、レイヤＡ（1セグメントを使用する伝送方式）であるセグメント番号６については、
ΔＦ６＝Ｆseg６−Ｆｒで算出される。
他のセグメント番号についても同様な手順で算出される。
【００８６】
最低受信レベル相対値算出手段２８は、レイヤ定義テーブル３０の情報に基づきセグメント連結送信信号に定義されているレイヤ毎に、1セグメント当たりの電界強度Ｆrより算出したレイヤ毎の信号強度特性基準値に対する各セグメントの最低受信レベルＦthより算出したレイヤ毎の最低受信レベルの相対値である最低受信レベル相対値ΔＦthｎ（ｎ：０〜最大３２）、即ち、
ΔＦthｎ＝
レイヤ毎に各セグメントの最低受信レベルＦthｎより算出した値 −
１セグメント当たりの電界強度Ｆｒより算出した信号強度特性基準値 （ｄＢ）
（ｎ：０〜最大３２）
を求める。
【００８７】
また同様に、レイヤ定義テーブル３０の情報に基づきセグメント連結送信信号に定義されているレイヤ毎に、1セグメント当たりの電力Ｐrより算出したレイヤ毎の電力（信号強度特性値）に対する各セグメントの最低受信レベルＰthより算出したレイヤ毎の最低受信レベル（信号強度特性値）の相対値である最低受信レベル相対値ΔＰthｎ（ｎ：０〜最大３２）、即ち、
ΔＰthｎ＝
レイヤ毎に各セグメントの最低受信レベルＰthｎより算出した値 −
１セグメント当たりの電力Ｐｒより算出した信号強度特性基準値  （ｄＢ）
（ｎ：０〜最大３２）
を求める。なお、アンテナ係数がセグメント連結送信信号内で一定であれば、両最低受信レベル相対値ΔＦthｎ、ΔＰthｎは等しい。
【００８８】
セグメント番号０〜１２（スーパーセグメント番号１）の最低受信レベルの相対値算出を例に説明する。図１１に示すレイヤ定義テーブルより、セグメント番号０〜５とセグメント番号７〜１２は同じスーパーセグメント（スーパーセグメント番号１）のレイヤＢと定義されているので、
ΔＦthｎ＝
レイヤ毎に各セグメントの最低受信レベルＦthｎより算出した値−
1セグメント当たりの電界強度Ｆｒより算出した信号強度特性基準値
（ｎ：０〜５、７〜１２）
＝１０ log｛１０^（(Ｆth０)/１０）＋・・・＋１０^（(Ｆth５)/１０）＋
１０^（(Ｆth７)/１０）＋・・・＋１０^（(Ｆth１２)/１０）｝−
（Ｆr＋１０log１２） （ｄＢ）
で算出される。
また、レイヤＡ（1セグメントを使用する伝送方式）であるセグメント番号６については、
ΔＦth６＝Ｆth６−Ｆｒで算出される。
【００８９】
表示制御部２６は、セグメント連結送信信号の電力Ｐ、セグメント連結送信信号の電界強度Ｆ、１セグメント当たりの電力Ｐｒ、１セグメント当たりの電界強度Ｆｒ、各セグメントの電力Ｐseg０〜Ｐseg３２、各セグメントの電界強度Ｆseg０〜Ｆseg３２ 、レイヤ毎の受信レベル相対値ΔＦ０〜ΔＦ３２、ΔＰ０〜ΔＰ３２、レイヤ毎の最低受信レベル相対値ΔＦth０〜ΔＦth３２、ΔＰth０〜ΔＰth３２を受け、これらの情報を表示器２７の画面上に所定のレイアウトで表示する。
【００９０】
相対値連結表示制御部２６２は、相対値算出手段２５の算出結果である、各セグメントの属するレイヤ毎に受信レベル相対値をセグメントの連結順に並べたグラフとしてスケールとともに表示器２７の画面上への表示するための制御を行う。このとき、レイヤＡとレイヤＢとが識別可能に表示するための制御もおこなう。それぞれのセグメントがどのレイヤに属するかの情報は、レイヤ定義テーブル３０より取得する。
【００９１】
最低受信閾値表示制御部２６５は、相対値算出手段２５の算出結果である、各セグメントの属するレイヤ毎の受信レベル相対値をセグメントの連結順に並べたグラフ上で、最低受信レベル相対値算出手段２８の算出結果である各セグメントの属するレイヤ毎の最低受信レベルの相対値ΔＦthまたはΔＰthに相当するレベルを識別可能に表示するための制御や、相対値算出手段２５の算出結果である各セグメントの属するレイヤ毎の受信レベル相対値ΔＦまたはΔＰと、最低受信レベル相対値算出手段２８の算出結果である各セグメントの属するレイヤ毎の最低受信レベル相対値ΔＦthまたはΔＰthとを比較することにより最低受信レベルを下回るレイヤ（セグメント）を判別し、各セグメントの属するレイヤ毎に受信レベル相対値をセグメントの連結順に並べたグラフ上で最低受信レベルを下回るレイヤ（セグメント）を識別可能に表示するための制御を行う。
それぞれのセグメントがどのレイヤに属するのかは、レイヤ定義テーブル３０より取得する。
【００９２】
図１３は、その表示レイアウトの一例を示すものであり、上段左側には、セグメント連結送信信号全体（３３Ｓｅｇｍｅｎｔ）５０の電力Ｐの値「６８．２８」と電界強度Ｆの値「８７．６５」が表示され、上段右側には特定セグメント（１Ｓｅｇｍｅｎｔ  ＠Ｎｏ）５１の電力Ｐsegの値「４８．２８」と電界強度Ｆsegの値「６７．６５」が表示されている。なお、ここでは特定セグメントは図示しない操作部から指定されたセグメント（セグメント２８）の値が表示されている。
【００９３】
また、下段にはセグメント連結送信信号全体の平均電力に対する各セグメントが属するレイヤの受信レベル相対値を棒グラフ５５で示したものを、セグメント連結送信信号内の連結順に左から並べて１つのグラフ（Ｒｅｌａｔｉｖｅ Ｌｅｖｅｌ ｖｓ Ｌａｙｅｒ）５２として表示している。
【００９４】
グラフ（Ｒｅｌａｔｉｖｅ Ｌｅｖｅｌ ｖｓ Ｌａｙｅｒ）５２の左側には、グラフの縦軸スケールを示す−２０ｄＢ、０ｄＢ、＋１０ｄＢが表示され、下側にはグラフ横軸のスケールとして左側より周波数順に連結されたセグメント番号を示す０、１６、３２が表示されている。なお、グラフの縦軸のスケール表示は一例であり、測定値に応じて変更が可能である。横軸のスケールについても同様に表示は一例であり変更が可能である。
【００９５】
また、グラフ（Ｒｅｌａｔｉｖｅ Ｌｅｖｅｌ ｖｓ Ｌａｙｅｒ）５２内には、相対値０ｄＢの位置を示すライン５４と、タイプＡスーパーセグメントのくくりを示すライン５６が表示されている。なお、ラインによりスーパーセグメントのくくりを表示するのではなく、背景色等を変える等によりスーパーセグメントのくくりが識別できるように表示してもよい。
【００９６】
ここで、各セグメントの属するレイヤの受信レベル相対値を示した棒グラフ５５の内、最低受信レベルを下回ったレイヤＢ（セグメント１３〜１８、セグメント２０〜２５）５７とレイヤＡ（セグメント３２）６０が他のレイヤとは表示色や模様を変えることにより識別可能に表示している。
【００９７】
なお、図１４に示すように最低受信レベルに相当するレベルにライン６１を表示するようにしても良い。さらに最低受信レベルに相当するレベルのラインと最低受信レベルを下回ったセグメントの表示色や模様を変えることの両方を行って表示するようにしても良い。
【００９８】
また、上段右側に表示される特定セグメント（１Ｓｅｇｍｅｎｔ  ＠Ｎｏ）５１の表示と連動して、図示しない操作部から指定されたセグメントが他のセグメントとは表示色や模様を変えることにより識別可能に表示することができる。ここでは指定されたセグメント（セグメント２８）６２が識別可能に表示されている。
【００９９】
次に図１５を用いて第４の実施例について説明する。本実施例では第３の実施例と同様にセグメント連結送信信号に定義されたレイヤ毎に算出や結果の表示を行う。なお、図１、図７、図１１と機能が同じである機能ブロックについては説明を省略する。
【０１００】
受信信号解析部２９は、入力信号Ｓ、即ちセグメント連結送信信号を解析して３３セグメント（ＳＥＧ０〜ＳＥＧ３２）のそれぞれのセグメントの変調方式と符号化率の判別と、セグメント連結送信信号から各レイヤに使用されているセグメント数、変調方式、符号化率が定義されたレイヤ割り当て情報を抽出する。判別した各セグメントの変調方式と符号化率と、レイヤ割り当て情報に基づき、各セグメントが属するレイヤを判断し、判断した結果をレイヤ定義テーブル３０に設定する。
【０１０１】
より詳細には、受信信号解析部２９は、前述したように変調方式・符号化率判別部２９１とレイヤ対応テーブル２９２とを備えて構成される（図８）。レイヤ対応テーブル２９２は、セグメント連結送信信号から抽出されたレイヤ割り当て情報をレイヤと、セグメント数、変調方式、符号化率の対応を示すテーブルとして保持する。図１６はレイヤ対応テーブルの例であり、レイヤＡでは、セグメント数が１、変調方式がＱＰＳＫ、符号化率２／３が使われ、レイヤＢでは、セグメント数が１２、変調方式が６４ＱＡＭ、符号化率３／４が使われている。
【０１０２】
変調方式・符号化率判別部２９１の機能は、説明済みのため省略する。変調方式・符号化率判定部２９１による各セグメントの変調方式と符号化率の判別結果とレイヤ対応テーブルにより、各セグメントの属するレイヤを判断し、判断した結果をレイヤ定義テーブル３０に設定する。
【０１０３】
受信信号解析部２９で判断した各セグメントの属するレイヤがレイヤ定義テーブル３０に設定された例を図１２に示す。
【０１０４】
相対値算出手段２５、最低受信レベル相対値算出手段２８、表示制御部２６では、受信信号解析部２９により設定されたレイヤ定義テーブル３０の情報に基づき処理を行う。以降の処理については実施例３と同様なので省略する。
【０１０５】
第３の実施例および第４の実施例で説明した構成により、各レイヤがマルチパスなどの影響により受信に最低限必要なレベルを下回っているか否かを画面上で識別できる。さらに、各セグメントの信号電力や電界強度の絶対値だけでなく、１セグメント当たりの平均的な値から算出した各レイヤの値に対する各レイヤの実測値の比較により、使用するセグメント数が異なる伝送方式であるレイヤであっても、その表示情報からマルチパスなどによるセグメント連結送信信号全体の周波数特性の劣化の有無等も容易に判る。また、レイヤ毎に異なる伝送方式が利用され、伝送方式毎に受信に必要な電界強度が異なる場合でも、各レイヤが受信に必要な電界強度が得られているかを容易に判断することも可能である。
【０１０６】
次に、本発明の地上マルチメディア放送波信号測定方法について図２０を用いて説明する。
測定地点でセグメント連結送信信号を受信し、中間周波数帯に変換する。そして中間周波数帯に変換されたセグメント連結送信信号の電界強度Ｆおよび信号電力Ｐを測定（セグメント連結送信信号測定（Ｓ１０））するとともに、３３セグメントのそれぞれのセグメントについて信号電力Ｐseg０〜Ｐseg３２および電界強度Ｆseg０〜Ｆseg３２を測定（セグメント測定（Ｓ２０））する。
【０１０７】
次に、測定したセグメント連結送信信号の電界強度Ｆおよび信号電力Ｐとセグメント連結送信信号のセグメント数ｍ（＝３３）とから１セグメントあたりの電界強度Ｆｒおよび電力Ｐｒをすでに説明した演算により求める（セグメント平均値算出（Ｓ３０））。
【０１０８】
そして、セグメント連結送信信号のセグメント毎またはセグメント連結送信信号に定義されているレイヤ毎に、１セグメントあたりの電界強度Ｆｒおよび電力Ｐｒより算出した値に対する各セグメントの実測の電界強度Ｆｒおよび電力Ｐsegより算出した値の相対値である受信レベル相対値ΔＦ０〜ΔＦ３２およびΔＰｌ０〜ΔＰｌ３２をすでに説明した演算により算出する（相対値算出（Ｓ４０））。
【０１０９】
さらに、セグメント連結送信信号のセグメント毎またはセグメント連結送信信号に定義されているレイヤ毎に、１セグメントあたりの電界強度Ｆｒおよび電力Ｐｒより算出した値に対する各セグメントの最低受信レベルＦthおよびＰthより算出した値の相対値である最低受信レベル相対値ΔＦth０〜ΔＦth３２およびΔＰth０〜ΔＰth３２をすでに説明した演算により算出する（最低受信レベル相対値算出（Ｓ５０））。
【０１１０】
なお、セグメント連結送信信号を解析し、複数セグメントのそれぞれの変調方式と符号化率とを判別し（受信信号解析（Ｓ７０））、判別した結果に基づき最低受信レベルを定義して最低受信レベル相対値を算出することも可能である。
また、複数セグメントそれぞれのセグメントのレイヤを定義し（Ｓ８０）、定義されたレイヤ毎に受信レベル相対値、最低受信レベル相対値を算出することも可能である。
さらに、セグメント連結送信信号を解析し、すでに説明したレイヤ割り当て情報の抽出と、複数セグメントのそれぞれの変調方式と符号化率とを判別し（受信信号解析（Ｓ７０））、抽出した情報と判別した結果に基づきそれぞれのセグメントのレイヤを定義する（Ｓ８０）ことも可能である。詳細についてはすでに説明しているので省略する。
【０１１１】
そして、セグメント連結送信信号の電力Ｐ、セグメント連結送信信号の電界強度Ｆ、１セグメント当たりの電力Ｐｒ、１セグメント当たりの電界強度Ｆｒ、各セグメントの電力Ｐseg０〜Ｐseg３２、各セグメントの電界強度Ｆseg０〜Ｆseg３２ 、受信レベル相対値ΔＦ０〜ΔＦ３２、ΔＰ０〜ΔＰ３２、最低受信レベル相対値ΔＦth０〜ΔＦth３２、ΔＰth０〜ΔＰth３２を受け、これらの情報を表示器２７の画面上に所定のレイアウトで表示（グラフ表示（Ｓ６０））する。表示レイアウトのレイヤは図２、図６、図１３、図１４であり、すでに説明しているので省略する。
【０１１２】
ここで、上述の地上マルチメディア放送波信号測定装置２０の実施形態では、電界強度と電力の両方を求めていたが、電界強度のみで表す場合、電界強度のみを求めればよく、電力値のみで表す場合、電力のみを求めればよい。また、地上マルチメディア放送波信号測定方法についても同様である。
【０１１３】
なお、以上の説明では、地上マルチメディア放送波として３３セグメントの信号がセグメント連結送信信号として使用される技術規格ＩＳＤＢ−Ｔｍｍについて説明したが、他の技術規格であるＩＳＤＢ−ＴやＩＳＤＢ−Ｔｓｂなどを測定する場合にも、連結されるセグメント数やスーパーセグメントの配置について変更することにより同様に適用することが出来る。
【符号の説明】
【０１１４】
１…アンテナ、２０…地上マルチメディア放送波信号測定装置、２１…周波数変換部、２２…セグメント連結送信信号測定部、２３…セグメント測定部、２４…セグメント平均値算出手段、２５…相対値算出手段、２６…表示制御部、２７…表示器、２８…最低受信レベル相対値算出手段、２９…受信信号解析部、３０…レイヤ定義テーブル、２６１…測定結果表示制御部、２６２…相対値連結表示制御部、２６３…スーパーセグメント表示制御部、２６４…特定セグメント表示制御部、２６５…最低受信閾値表示制御部、２８１…最低受信レベルテーブル、２８２…所要ＣＮテーブル、２８３…パラメータテーブル、２９１…変調方式・符号化率判別部、２９２…レイヤ対応テーブル
【図１】
0005474112.tif 000002
【図２】
0005474112.tif 000003
【図３】
0005474112.tif 000004
【図４】
0005474112.tif 000005
【図５】
0005474112.tif 000006
【図６】
0005474112.tif 000007
【図７】
0005474112.tif 000008
【図８】
0005474112.tif 000009
【図９】
0005474112.tif 000010
【図１０】
0005474112.tif 000011
【図１１】
0005474112.tif 000012
【図１２】
0005474112.tif 000013
【図１３】
0005474112.tif 000014
【図１４】
0005474112.tif 000015
【図１５】
0005474112.tif 000016
【図１６】
0005474112.tif 000017
【図１７】
0005474112.tif 000018
【図１８】
0005474112.tif 000019
【図１９】
0005474112.tif 000020
【図２０】
0005474112.tif 000021